(57)【要約】【課題】重畳画像がどのような画像を基に作成されたかを容易に理解可能となる医用画像表示装置を提供する。【解決手段】複数種類の医用装置を用いて被検体をそれぞれ撮影することにより取得された複数種類の３次元画像データを記憶する画像データ記憶部と、前記複数種類の３次元画像データに対して予め定められた同一の断面位置でそれぞれ切り出した複数種類の断面画像を作成する第１画像作成部と、前記複数種類の断面画像を重畳条件に基づいて重ね合わせることにより、重畳画像を作成する第２画像作成部と、前記重畳画像を構成する複数種類の前記断面画像を予め定められた倍率で縮小させた複数種類の縮小画像を含むインセット画像を作成する第３画像作成部と、操作部、表示制御部及びモニタを備え、前記操作部による同時時表示の指示を受けて、前記表示制御部が前記重畳画像と前記インセット画像とを前記モニタに表示させるユーザーインターフェースと、を有する。【選択図】図１
2010035940.tif 000002
【特許請求の範囲】
【請求項１】
複数種類の医用装置を用いて被検体をそれぞれ撮影することにより取得された複数種類の３次元画像データを記憶する画像データ記憶部と、
前記複数種類の３次元画像データに対して予め定められた同一の断面位置でそれぞれ切り出した複数種類の断面画像を作成する第１画像作成部と、
前記複数種類の断面画像を重畳条件に基づいて重ね合わせることにより、重畳画像を作成する第２画像作成部と、
前記重畳画像を構成する複数種類の前記断面画像を予め定められた倍率で縮小させた複数種類の縮小画像を含むインセット画像を作成する第３画像作成部と、
操作部、表示制御部及びモニタを備え、前記操作部による同時時表示の指示を受けて、前記表示制御部が前記重畳画像と前記インセット画像とを前記モニタに表示させるユーザーインターフェースと、
を有する
ことを特徴とする医用画像表示装置。
【請求項２】
前記ユーザーインターフェースは、前記モニタに前記被検体の画像を、該被検体の画像における特定位置を指定可能に表示し、該特定位置が指定されたときその前記特定位置を前記断面位置として設定する断面位置設定部を有し、
さらに、前記ユーザーインターフェースは、前記断面位置設定部による前記断面位置の変更を受けて、該変更された前記断面位置で前記第１画像作成部が前記複数種類の断面画像をそれぞれ切り出し、該複数種類の断面画像を前記第２画像作成部が重ね合わせることにより作成した前記重畳画像と、前記第３画像作成部が前記被検体の画像における前記断面位置を視認可能な断面位置表示画像を作成し、該断面位置表示画像を予め定められた倍率で縮小させることにより作成した断面位置表示画像の縮小画像を含む前記インセット画像とを前記表示制御部が前記モニタに表示させることを特徴とする請求項１に記載の医用画像表示装置。
【請求項３】
前記第３画像作成部は、前記複数種類の断面画像及び前記断面位置表示画像の中から選択された１又は複数の画像を予め定められた倍率でそれぞれ縮小させた前記縮小画像を含む前記インセット画像を作成し、
前記ユーザーインターフェースは、前記インセット画像の表示を切り替える前記操作部による指示を受けたとき、前記表示制御部が予め定められた順番で次の前記インセット画像を前記モニタに表示させることを特徴とする請求項１又は請求項２のいずれかに記載の医用画像表示装置。
【請求項４】
前記ユーザーインターフェースは、前記縮小画像を予め定められた倍率で拡大させることにより拡大画像を作成させる動作、又は前記重畳条件を表示させる動作のいずれかを選択的に前記インセット画像に関連付けて記憶させる動作設定部を有し、
さらに、ユーザーインターフェースは、前記操作部による前記インセット画像の指定を受けたとき、該指定が該縮小画像の前記拡大画像を表示させる動作と関連付けられている場合、前記第３画像作成部に前記縮小画像の前記拡大画像を作成させ、該作成させた前記縮小画像の拡大画像を前記表示制御部が前記モニタに表示させ、前記指定が前記重畳条件を表示させる動作と関連付けられている場合、前記表示制御部が前記重畳条件を前記モニタに表示させることを特徴とする請求項１から請求項３のいずれかに記載の医用画像表示装置。
【請求項５】
前記ユーザーインターフェースは、前記縮小画像を予め定められた倍率で拡大させることにより拡大画像を作成させる動作、又は前記重畳条件を表示させる動作のいずれかを選択的に前記インセット画像を構成する縮小画像毎に関連付けて設定する動作設定部を有し、
さらに、前記ユーザーインターフェースは、前記操作部による前記縮小画像の指定を受けたとき、該縮小画像の指定が該縮小画像の前記拡大画像を表示させる動作と関連付けられている場合、前記第３画像作成部に前記縮小画像の前記拡大画像を作成させ、該作成させた前記縮小画像の拡大画像を前記表示制御部が前記モニタに表示させ、前記縮小画像の前記指定が前記重畳条件を表示させる動作と関連付けられている場合、前記表示制御部が前記重畳条件を前記モニタに表示させることを特徴とする請求項１から請求項３のいずれかに記載の医用画像表示装置。
【請求項６】
前記ユーザーインターフェースは、前記操作部により前記被検体の画像における前記断面位置の変更の指示を受けて、前記インセット画像を作成したときの前記断面画像と前記重畳画像とを前記表示制御部が前記モニタに表示させ、前記インセット画像を作成したときの前記被検体の画像を、該被検体の画像における前記特定位置を指定可能に前記表示制御部が前記モニタに表示させることを特徴とする請求項２に記載の医用画像表示装置。
【発明の詳細な説明】
【技術分野】
【０００１】
この発明は、医用画像表示装置に関し、特に、複数種類の３次元画像データに対して予め定められた断面位置でそれぞれ切り出した複数種類の断面画像を作成し、複数種類の断面画像を重ね合わせることにより、重畳画像を作成し、重畳画像をモニタに表示させるものに関する。
【背景技術】
【０００２】
従来、この種の医用画像表示装置としては、断面画像とインセット画像（組込画像）である縮小画像とを同時表示させたものがある（例えば、特許文献１）。縮小画像に断面位置を描画させてある。断面画像と縮小画像中の断面位置とを同時表示させることにより、どこの断面位置の断面画像であるかを容易に理解可能となる。
【０００３】
また、近年、複数種類の医用装置を用いて被検体をそれぞれ撮影することにより複数種類の３次元画像データが取得され、複数種類の３次元画像データに対して同一の断面位置でそれぞれ切り出した複数種類の断面画像を重ね合わせることにより、重畳画像を作成し、作成された重畳画像を表示させる医用画像表示装置が発達してきた。
【０００４】
【特許文献１】特開２００３−１０１３５号公報
【発明の開示】
【発明が解決しようとする課題】
【０００５】
以上のような重畳画像を表示させる医用画像表示装置では、例えば、重畳画像と断面位置とを同時表示させることにより、重畳画像がどのような断面位置で切り出した画像であるかを容易に理解可能となる。しかしながら、一旦、作成された重畳画像を観察しているとき、重畳画像がどのような断面画像を重ね合わせることにより作成された画像であるかを容易に理解することができないという問題点があった。
【０００６】
この発明は、上記の問題を解決するものであり、重畳画像がどのような画像を基に作成されたかを容易に理解可能となる医用画像表示装置を提供することを目的とする。
【課題を解決するための手段】
【０００７】
上記課題を解決するため、この発明は、重畳画像は複数種類の断面画像により構成されるため、複数種類の断面画像を視認することにより、重畳画像がどのような画像を基に作成されたかを容易に理解可能となること着目した。
具体的に、この発明の第１の形態は、複数種類の医用装置を用いて被検体をそれぞれ撮影することにより取得された複数種類の３次元画像データを記憶する画像データ記憶部と、前記複数種類の３次元画像データに対して予め定められた同一の断面位置でそれぞれ切り出した複数種類の断面画像を作成する第１画像作成部と、前記複数種類の断面画像を重畳条件に基づいて重ね合わせることにより、重畳画像を作成する第２画像作成部と、前記重畳画像を構成する複数種類の前記断面画像を予め定められた倍率で縮小させた複数種類の縮小画像を含むインセット画像を作成する第３画像作成部と、操作部、表示制御部及びモニタを備え、前記操作部による同時時表示の指示を受けて、前記表示制御部が前記重畳画像と前記インセット画像とを前記モニタに表示させるユーザーインターフェースと、を有することを特徴とする医用画像表示装置である。
【発明の効果】
【０００８】
この発明の第１の形態によると、重畳画像とインセット画像とを同時にモニタに表示させたので、また、インセット画像には、重畳画像を構成する複数種類の断面画像をそれぞれ縮小させた複数種類の縮小画像が含まれているので、重畳画像がどのような画像を基に作成されたかを容易に理解可能となる。
【発明を実施するための最良の形態】
【０００９】
［第１の実施の形態］
（構成）
この発明の第１の実施形態に係る医用画像表示装置の構成について図１を参照して説明する。図１は、医用画像表示装置の機能ブロック図である。
【００１０】
医用装置の一例であるＸ線ＣＴ（Ｃｏｍｐｕｔｅｄ  Ｔｏｍｏｇｒａｐｈｙ）では、管球から発生したＸ線が被検体を透過し、検出器でＸ線を受ける。管球と検出器との一対が被検体の周りを一回転することで、被検体の断層像データを取得する。
【００１１】
例えば、６４列の検出器を有するＸ線ＣＴでは、一回転のスキャンで６４枚の断層像データを収集可能となる。このように収集された断層像データから３次元画像データが取得される。この３次元画像データは、被検体の組織の形態を観察するのに適した画像データである。
【００１２】
また、医用装置の他の例であるＰＥＴ（Ｐｏｓｉｔｒｏｎ  Ｅｍｉｓｓｉｏｎ  Ｔｏｍｏｇｒａｐｈｙ）は、人体の周囲を取り巻くように配列された多数のガンマ線検出器と、２個の光子の信号を組み合わせる同時計数回路からなる。検出器のうちいずれか２つが同時にガンマ線を検出したときの情報を集めてコンピューター画像処理を施すことにより、三次元画像データが取得される。この３次元画像データは、被検体の機能を観察するのに適した画像データである。
【００１３】
以上のように、Ｘ線ＣＴとＰＥＴとを用いて被検体を撮影することにより上記２種類の３次元画像データが取得される。なお、Ｘ線ＣＴとＰＥＴとが一体型となったＰＥＴ−ＣＴを用いて被検体を撮影することにより上記複数種類の３次元画像データが取得されるようにしても良い。
【００１４】
Ｘ線ＣＴとＰＥＴとを用いて被検体を撮影することにより取得された２種類の３次元画像データに対して予め定められた同一の断面位置でそれぞれ切り出した２種類の断面画像と、２種類の断面画像を重ね合わせることにより作成された重畳画像とをモニタ１１に同時表示させる医用画像表示装置の機能ブロックを図１に示す。
【００１５】
医用画像表示装置は、前記モニタ１１と、キーボード及びマウスを含む操作部１２と、後記する画像作成部５０により作成された画像をモニタ１１に画像を表示させる表示制御部２０とを備えたユーザーインターフェース１０を有している。
【００１６】
ユーザーインターフェース１０は、モニタ１１にインセット画像設定画面３１ａを、インセット画像設定画面３１ａ上の予め定めた位置を指定可能に表示し、その予め定めた位置が指定されたとき、インセット画像の種類、大きさ、表示位置を含む設定情報を設定するインセット画像設定部３１と、モニタ１１に被検体の画像（断面位置表示画像）を、被検体の画像における特定位置を指定可能に表示し、特定位置が指定されたときその特定位置を断面位置として設定する断面位置設定部３２と、作成された複数種類の断面画像などの画像データを記憶部４０に記憶させる指示をする保存ボタン３３、複数種類の断面画像を重ね合わせるときの重畳条件の一つであるブレンド率変更の指示をするブレンド率変更ボタン３４を有している。
【００１７】
ここで、インセット画像とは、複数種類の断面画像を予め定められた倍率で縮小させた複数種類の縮小画像を含む画像である。また、ブレンド率とは、複数種類の断面画像を重ね合わせるとき、各々の断面画像が有する輝度値に対して乗算される百分率をいう。
【００１８】
インセット画像設定部３１は、タイマー設定部３１１及び動作設定部３１２を有している。タイマー設定部３１１は、モニタ１１に表示されたタイマー設定画面３１１ａ上で、一定時間（例えば３秒）を設定する。動作設定部３１２は、モニタ１１に表示された動作設定画面３１２ａ上で、インセット画像の拡大表示の動作などを設定する。ユーザーインターフェース１０は、モニタ１１にインセット画像設定画面３１ａを表示するとき、動作設定画面３１２ａも表示する。
【００１９】
医用画像表示装置は、３次元画像データを含む画像データ、並びに断面位置及び重畳条件（ブレンド率）を含む付帯情報を記憶する記憶部４０と、画像データ及び付帯情報から画像を作成する画像作成部５０とを有している。
【００２０】
記憶部４０は、上記２種類の３次元画像データ含む画像データを記憶する画像データ記憶部４１を有している。また、記憶部４０は、３次元画像データに対して切り出すときの断面位置を記憶する位置データ記憶部４２と、重畳条件を記憶する条件データ記憶部４３と、インセット画像設定部３１により設定された設定情報を記憶する設定情報記憶部４４とを有している。
【００２１】
次に、上記２種類の３次元画像データに基づき各種の画像を作成する構成について、図２から図５を参照にして説明する。図２はインセット画像設定画面の説明図、図３は、断面位置表示画像等、ブレンド率変更ボタン及び保存ボタンの説明図、図４は付帯情報や重畳画像のデータを保存するときのフォーマットの例を示す説明図、図５は重畳画像とインセット画像とを同時にモニタに表示させたときの図である。
【００２２】
医用画像表示装置に組み込まれたアプリケーションを起動すると、画像作成用のソフトウェアがメモリ（図示省略）に展開され、インセット画像設定画面３１ａをモニタ１１に表示させ、操作部１２の指定によりインセット画像の種類、大きさ、表示位置を含む設定情報を予め設定可能となる。なお、図２に示すインセット画像設定画面３１ａは、動作設定画面３１２ａを含まない。
【００２３】
インセット画像を予め設定した後に、モニタ１１に被検体の画像である断面位置表示画像を、被検体の画像における特定位置を指定可能に表示させ、特定位置が指定されたときその特定位置を断面位置として設定する。ここで、「特定位置」とは、直線画像に相当し、「断面位置表示画像」とはコロナル画像に特定位置（直線画像）を描いた画像に相当する。コロナル画像とは、３次元画像データに対してｙ−ｚ平面方向に切り出した画像である。この実施形態において、ｘ方向とは体厚方向、Ｙ方向とは被検体の体幅方向、ｚ方向とは被検体の体軸方向をいう。
【００２４】
設定された断面位置を受けて、画像作成部５０が下記の各種画像を作成する。モニタ１１に表示された保存ボタン３３を操作部１２により指定すると、画像作成部５０によって作成された各種の画像データを記憶部４０に記憶させる。モニタ１１にそれぞれ表示させた断面位置表示画像及び保存ボタン３３を図３に示す。モニタ１１と操作部１２と断面位置表示画像とにより断面位置設定部３２が構成される。
【００２５】
画像作成部５０は、２種類の３次元画像データに対して予め定められた同一の断面位置でそれぞれ切り出した２種類の断面画像を作成する第１画像作成部５１と、前記２種類の断面画像を重ね合わせることにより重畳画像を作成する第２画像作成部５２と、及び２種類の断面画像を予め定められた倍率で縮小させた２種類の縮小画像であって、モニタ１１に表示される位置が予め定められた２種類の縮小画像を含むインセット画像を作成する第３画像作成部５３とを有している。
【００２６】
次に、インセット画像の設定について図２を参照にして説明する。モニタ１１にインセット画像設定画面３１ａを表示し、操作部１２の指定を受けて設定情報を設定する。インセット種として「断面位置」、インセット位置として「右下」、サイズとして「２」を設定したときのインセット画像設定画面３１ａを図２に示す。
【００２７】
また、インセット種としては、「断面位置」の他に、「処理画面全体」、「ＣＴ画像」、「ＰＥＴ画像」及び「重畳画像」を含む。なお、「ＣＴ画像」とは、ＣＴ撮影により取得された３次元画像データに対して予め定められた断面位置で切り出した断面画像であり、ｘ−ｙ平面方向に切り出したアキシャル画像である。また「ＰＥＴ画像」とは、ＰＥＴ撮影により取得された３次元画像データに対して予め定められた断面位置で切り出した断面画像であり、ｘ−ｙ平面方向に切り出したアキシャル画像である。さらに「重畳画像」とは、ＣＴ画像とＰＥＴ画像とを重ね合わせた画像であり、フュージョン画像とも称される。さらに、「処理画面全体」とは、ＣＴ画像、ＰＥＴ画像、重畳画像及び断面位置表示画像の全ての画像である。
【００２８】
次に、画像作成部５０によって作成される各種の画像について、図３を参照にして説明する。図３では、モニタ１１の左上、右上、左下及び右下にそれぞれ表示されたＣＴ画像、ＰＥＴ画像、重畳画像及び断面位置表示画像を示す。
【００２９】
第１画像作成部５１は、ＣＴ撮影により取得された３次元画像データに対して予め定められた断面位置（デフォルト値）で切り出すことによりＣＴ画像を作成する。また、第１画像作成部５１は、ＰＥＴ撮影により取得された３次元画像データに対して予め定められた断面位置（デフォルト値）で切り出すことによりＰＥＴ画像を作成する。第２画像作成部５２は、ＣＴ画像とＰＥＴ画像とを重畳条件（ブレンド率）に基づき重ね合わせることにより重畳画像を作成する。表示制御部２０は、以上のように作成されたＣＴ画像、ＰＥＴ画像及び重畳画像、並びに、断面位置表示画像をモニタ１１に表示させる。
【００３０】
断面位置をデフォルト値から変更するには、モニタ１１の右下に表示された断面位置表示画像において、コロナル画像と重ね合わせた特定位置（直線画像）を操作部１２により指定し、その特定位置（直線画像）をモニタ１１上で上下移動させる。それにより、３次元画像データに対する断面位置が変更された。ユーザーインターフェース１０は、断面位置の位置情報を位置データ記憶部４２に記憶させる。
【００３１】
変更された断面位置を受けて、第１画像作成部５１は、ＣＴ撮影及びＰＥＴ撮影により取得された２種類の３次元画像データに対して断面位置でそれぞれ切り出した２種類の断面画像（ＣＴ画像及びＰＥＴ画像）を作成する。第１画像作成部５１は、作成したＣＴ画像及びＰＥＴ画像の各データを画像データ記憶部４１に記憶させる。
【００３２】
第２画像作成部５２は、重畳条件（ブレンド率）に基づいて２種類の断面画像を重ね合わせることにより重畳画像を作成する。各断面画像の輝度値に対して乗じる百分率を変更するには、ブレンド率変更ボタン３４を操作部１２により指定すると、表示制御部２０は、ブレンド率変更画面（図示省略）をモニタ１１に表示させ、ブレンド率変更画面上で、操作部１２の指定を受けてブレンド率を変更させ、ユーザーインターフェース１０は、変更されたブレンド率を条件データ記憶部４３に記憶させる。患者情報、検査情報等の付帯情報、重畳画像のデータ及びブレンド率を含む重畳画像を作成するときの重畳条件データを保存したときのフォーマットを図４に示す。
【００３３】
第３画像作成部５３は、２種類の断面画像（ＣＴ画像及びＰＥＴ画像）を予め定められた倍率で縮小させた２種類の縮小画像であって、モニタ１１に表示される位置が予め定められた２種類の縮小画像を含むインセット画像を作成する。ここで、インセット画像設定部３１は、例えば、図２に示したように、倍率として、サイズ「２」を予め定め設定した。また、モニタ１１に表示される位置（インセット位置）として「右下」を予め設定した。
【００３４】
以上により、第１画像作成部５１は断面画像を作成し、作成した断面画像データを画像データ記憶部４１に記憶させた。また、第２画像作成部５２は重畳画像を作成し、作成した重畳画像データを画像データ記憶部４１に記憶させた。さらに、第３画像作成部５３はインセット画像を作成し、作成したインセット画像データを画像データ記憶部４１に記憶させた。
【００３５】
これらの各種の画像を表示制御部２０はモニタ１１に表示させる。表示制御部２０が重畳画像とインセット画像とを同時に表示させた画像を図５に示す。図５に示すインセット画像の場合、インセット画像設定部３１は、インセット種として「処理画面全体」、インセット位置として「右下」、サイズとして「２」を予め設定し、設定情報記憶部４４に記憶させる。これらの設定情報に基づき、第３画像作成部５３は、ＣＴ画像、ＰＥＴ画像、重畳画像及び断面位置表示画像をそれぞれ縮小させた４つの縮小画像を含むインセット画像を作成し、画像データ記憶部４１に記憶させる。表示制御部２０は、画像データ記憶部４１から重畳画像データ及びインセット画像データを読み出し、重畳画像とインセット画像とを同時にモニタ１１に表示させる。
【００３６】
第１の実施形態に係る医用画像表示装置では、ＣＴ画像の縮小画像とＰＥＴ画像の縮小画像を含むインセット画像と重畳画像とを同時にモニタ１１に表示させたので、重畳画像を構成する２種類の断面画像であるＣＴ画像及びＰＥＴ画像を同時に視認することができ、重畳画像を容易に理解可能となる。
【００３７】
なお、第１の実施形態の変形例として、表示制御部２０が重畳画像と断面位置表示画像とを同時にモニタ１１に表示させた画像を図６に示す。図５に示すインセット画像の場合、インセット画像設定部３１は、インセット種として「断面位置」、インセット位置として「右下」、サイズとして「２」を予め設定し、設定情報記憶部４４に記憶させる。これらの設定情報に基づき、第３画像作成部５３は、断面位置表示画像を縮小させた縮小画像を含むインセット画像を作成し、画像データ記憶部４１に記憶させる。表示制御部２０は、画像データ記憶部４１から重畳画像データ及びインセット画像データを読み出し、重畳画像とインセット画像とを同時にモニタ１１に表示させる。
【００３８】
上記の第１の実施形態の変形例に係る医用画像表示装置によれば、インセット画像が断面位置表示画像の縮小画像を含み、そのインセット画像と重畳画像とを同時にモニタ１１に表示させたので、重畳画像がどの断面位置で切り出した画像であるかを容易に視認可能となり、重畳画像をさらに容易に理解可能となる。
【００３９】
なお、第１の実施形態の変形例では、インセット画像を断面位置表示画像の縮小画像のみにより構成したが、インセット画像が他の縮小画像（ＣＴ画像の縮小画像又はＰＥＴ画像の縮小画像）を含む画像であっても良い。
【００４０】
［第２の実施の形態］
（構成）
次に、この発明の第２の実施形態に係る医用画像表示装置の構成について、図１及び図７から図９を参照して説明する。図７はインセット画像設定画面３１ａの説明図、図８は付帯情報や重畳画像のデータを保存するときのフォーマットの例を示す説明図、図９は（ａ）は重畳画像とインセット画像とを同時表示したときの図、（ｂ）は、重畳画像と断面位置表示画像とを同時表示したときの図である。
【００４１】
なお、第１実施形態と同様な構成についてはその説明を省略し、第１実施形態と異なる構成についてのみ説明をする。
【００４２】
インセット画像設定部３１は、複数種類のインセット画像の設定情報を設定し、設定情報を設定情報記憶部４４に記憶させる。複数種類のインセット画像の設定情報を設定するときのインセット画像設定画面３１ａを図７に示す。
【００４３】
インセット画像設定画面３１ａは、インセット画像を設定するための第１の画面である「インセット１」〜第３の画面である「インセット３」を有する。「インセット１」、「インセット２」の順番に説明する。
【００４４】
「インセット１」は、操作部１２の指定を受けて、インセット種として「断面位置」、インセットの位置として「右下」、サイズとして「２」をそれぞれ設定し、これらの設定情報を設定情報記憶部４４に記憶させる。
【００４５】
同様に、「インセット２」は、操作部１２の指定を受けて、インセット種として「処理画面全体」、インセットの位置として「右下」、サイズとして「２」をそれぞれ設定し、これらの設定情報を設定情報記憶部４４に記憶させる。各設定情報を設定情報記憶部４４に記憶させたときのフォーマットを図８に示す。
【００４６】
なお、タイマー設定部３１１を操作部１２で指定することにより、例えば、３秒の一定時間を設定し、タイマー設定部３１１は、この設定情報を設定情報記憶部４４に記憶させる。
【００４７】
第３画像作成部５３は、「インセット１」が設定した情報を設定情報記憶部４４から読み出し、また「インセット２」が設定した情報を設定情報記憶部４４から読み出す。第３画像作成部５３は、「インセット１」が設定した情報に基づき、設定情報記憶部４４から断面位置表示画像を選択し、選択された断面位置表示画像を予め定められた倍率（サイズ２）で縮小させた縮小画像を含む前記インセット画像を作成する。また、第３画像作成部５３は、「インセット２」が設定した情報に基づき、設定情報記憶部４４からＣＴ画像、ＰＥＴ画像、重畳画像及び断面位置表示画像の４つの画像を選択し、選択された４つの画像を予め定められた倍率（サイズ２）で縮小させた４つの縮小画像を含む前記インセット画像を作成する。
【００４８】
断面位置表示画像の縮小画像であるインセット画像と重畳画像とをモニタ１１に同時表示させた画像を図９（ａ）に示す。また、４つの縮小画像であるインセット画像と重畳画像とをモニタ１１に同時表示させた画像を図９（ｂ）に示す。
【００４９】
インセット画像の表示を切り替える操作部１２による指示をユーザーインターフェース１０が受けたとき、表示制御部２０は、予め定められた順番で次のインセット画像をモニタ１１に表示させる。インセット画像設定部３１は、予め定められた順番を設定し、記憶部４０に記憶させる。
【００５０】
表示制御部２０が９（ａ）に示すインセット画像をモニタ１１に表示させているとき、カーソルがインセット画像上に位置することにより、インセット画像の表示を切り替える操作部１２による指示をユーザーインターフェース１０が受けると、ユーザーインターフェース１０が経過時間を計測し、一定時間経過したと判断した場合に、表示制御部２０が９（ｂ）に示すインセット画像をモニタ１１に表示させる。
【００５１】
反対に、表示制御部２０が９（ｂ）に示すインセット画像をモニタ１１に表示させているとき、カーソルがインセット画像上に位置することにより、インセット画像の表示を切り替える操作部１２による指示をユーザーインターフェース１０が受けると、ユーザーインターフェース１０が経過時間を計測し、一定時間経過したと判断した場合に、表示制御部２０が９（ａ）に示すインセット画像をモニタ１１に表示させる。
上記のように、モニタ１１に表示させる全部で２種類のインセット画像がある場合は、表示制御部２０がインセット画像の表示を交互に切り替える。
【００５２】
（動作）
次に、インセット画像の表示の切り替えについて図１０を参照にして説明する。図１０は、予め定められた順番で画像を切り替えるときの動作を示すフロー図である。モニタ１１に表示させる全部でＮ種類のインセット画像があるものとする。また、インセット画像設定部３１は、予め定められた順番である「１」から「Ｎ」までの番号までを各インセット画像に対応させて記憶部４０に記憶させる。
【００５３】
始めに、インセット画像の番号を「０」とする（Ｐ＝０）（ステップＳ１０１）。インセット画像の表示を切り替える指示をユーザーインターフェース１０が受けたとき（ステップＳ１０２；Ｙ）、カウンタ（図示省略）が経過時間を計測する（ステップＳ１０３）。一定時間が経過したとき（ステップＳ１０４；Ｙ）、Ｐに「１」を加算する（Ｐ＝Ｐ＋１）（ステップＳ１０５）。
次に、ユーザーインターフェース１０は、モニタ１１に表示させた現在のインセット画像が最後であるかを判断する（Ｐ＝Ｎ？）（ステップＳ１０６）。
【００５４】
ユーザーインターフェース１０が最後のインセット画像でないと判断したとき（ステップＳ１０６；Ｎ）、表示制御部２０がＰの番号に対応させたインセット画像をモニタ１１に表示させる（ステップＳ１０７）。一方、表示制御部２０が最後のインセット画像であると判断したとき（ステップＳ１０６；Ｙ）、表示制御部２０が最初のインセット画像をモニタ１１に表示させ、インセット画像の番号を「０」とする（Ｐ＝０）（ステップＳ１０８）。次に、インセット画像の表示を切り替える指示をユーザーインターフェース１０が受けた否かの判断（ステップＳ１０２）に戻る。
【００５５】
上記した第２実施形態に係る医用画像表示装置によれば、断面位置表示画像の縮小画像であるインセット画像又はＣＴ画像の縮小画像及びＰＥＴ画像の縮小画像を含むインセット画像を、重畳画像と同時表示させたので、重畳画像を容易に理解可能となる。また、操作部１２の指示を受けて、表示制御部２０がインセット画像の表示を予め定められた順番で切り替えるので、操作性が高まる。
【００５６】
［第３の実施の形態］
（構成）
次に、この発明の第３の実施形態に係る医用画像表示装置の構成について、図１及び図１１から図１５を参照して説明する。図１１はインセット画像設定画面３１ａの説明図、図１２は付帯情報や重畳画像のデータを保存するときのフォーマットの例を示す説明図、図１３（ａ）は重畳画像とインセット画像とを同時表示したときの図、（ｂ）は、重畳画像と拡大画像とを同時表示したときの図、図１４（ａ）は重畳画像とインセット画像とを同時表示したときの図、（ｂ）は、重畳画像と重畳条件とを同時表示したときの図である。
【００５７】
なお、第１実施形態と同様な構成についてはその説明を省略し、第１実施形態と異なる構成についてのみ説明をする。
【００５８】
ユーザーインターフェース１０は、モニタ１１に動作設定画面３１２ａを含むインセット画像設定画面３１ａを表示させる。動作設定部３１２は、動作設定画面３１２ａ上で、縮小画像を予め定められた倍率で拡大させることにより作成された拡大画像を表示させる動作を操作部１２の指定に関連付けて設定する。ユーザーインターフェース１０は、動作設定部３１２による設定情報を設定情報記憶部４４に記憶させる。動作設定画面３１２ａを含むインセット画像設定画面３１ａを図１１に示す。
【００５９】
インセット画像設定画面３１ａは、インセット画像を設定するための第１の画面である「インセット１」〜第３の画面である「インセット３」を有する。「インセット１」、「インセット２」の順番に説明する。
【００６０】
先ず、「インセット１」について説明する。「インセット１」は、操作部１２の指定を受けて、インセット種として「処理画面全体」、インセットの位置として「右下」、サイズとして「２」をそれぞれ設定し、これらの設定情報を設定情報記憶部４４に記憶させる。「インセット１」に設けられた動作設定部３１２は、インセットクリック時のアクションとして「拡大表示」を設定する。「インセット１」は、この設定情報「拡大表示」を設定情報記憶部４４に記憶させる。以上の設定情報を設定情報記憶部４４に記憶させたときのフォーマットを図１２に示す。
【００６１】
動作設定部３１２は、インセット画像を構成する縮小画像の中で、拡大表示される縮小画像を「ＣＴ画像」の縮小画像のような形態を明確に視認可能な縮小画像に予め定める。また、動作設定部３１２は、縮小画像を拡大表示するときの倍率も予め定める。さらに、動作設定部３１２は、縮小画像の拡大画像を表示させる動作「拡大表示」を操作部１２によるインセット画像の指定と関連付けて設定する。ここで、「操作部１２によるインセット画像の指定」は、インセット画像を構成する縮小画像の指定、インセット画像の全体的な指定、あるいは、図示しないが拡大ボタンの指定を含む。
【００６２】
第３画像作成部５３は、「インセット１」が設定した情報を設定情報記憶部４４から読み出し、また動作設定部３１２が設定した情報を設定情報記憶部４４から読み出す。第３画像作成部５３は、「インセット１」が設定した情報に基づき、設定情報記憶部４４から４つの画像（断面位置表示画像、ＣＴ画像、ＰＥＴ画像及び重畳画像）を選択し、選択された４つの画像を予め定められた倍率（サイズ２）で縮小させた４つの縮小画像を含むインセット画像を作成する。また、ＣＴ画像の縮小画像が操作部１２により指定されたとき、第３画像作成部５３は、動作設定部３１２が設定した情報に基づき、ＣＴ画像の縮小画像を予め定められた倍率で拡大させたＣＴ画像の拡大画像を作成する。なお、第３画像作成部５３は、動作設定部３１２が設定した情報に基づき、設定情報記憶部４４からＣＴ画像を選択し、ＣＴ画像から拡大画像を作成しても良い。
【００６３】
４つの縮小画像であるインセット画像と重畳画像とをモニタ１１に同時表示させた画像を図１３（ａ）に示す。また、インセット画像と重畳画像とＣＴ画像の拡大画像とをモニタ１１に同時表示させた画像を図１３（ｂ）に示す。
【００６４】
操作部１２によるインセット画像の指定を受けて、表示制御部２０が、第３画像作成部５３により作成されたＣＴ画像の拡大画像を、インセット画像及び重畳画像と同時にモニタ１１に表示させる。
【００６５】
以上に、ＣＴ画像の縮小画像を予め定められた倍率で拡大させることにより拡大画像を作成し、動作設定部３１２が、拡大画像を表示させる動作を操作部１２によるインセット画像の指定に関連付けて設定した場合について説明した。
【００６６】
次に、重畳条件を表示させる動作を操作部１２によるインセット画像の指定に関連付けて設定する場合について説明する。
【００６７】
なお、インセット画像設定部３１は、複数種類の断面画像、例えばＣＴ画像とＰＥＴ画像とを重ね合わせるときの重畳条件であるブレンド率を条件データ記憶部４３に記憶させている。
【００６８】
動作設定部３１２は、動作設定画面３１２ａ上で、２つの断面画像を重ね合わせるときの重畳条件を表示させる動作を操作部１２によるインセット画像の指定と関連付けて設定する。ユーザーインターフェース１０は、動作設定部３１２による設定情報を設定情報記憶部４４に記憶させる。
【００６９】
次に、「インセット２」について説明する。「インセット２」は、操作部１２の指定を受けて、インセット種として「処理画面全体」、インセットの位置として「右下」、サイズとして「２」をそれぞれ設定し、これらの設定情報を設定情報記憶部４４に記憶させる。「インセット２」に設けられた動作設定部３１２は、インセットクリック時のアクションとして「詳細情報表示」を設定する。「インセット２」は、この設定情報「詳細情報表示」を設定情報記憶部４４に記憶させる。以上の設定情報を設定情報記憶部４４に記憶させたときのフォーマットを図１２に示す。
【００７０】
動作設定部３１２は、詳細情報表示される縮小画像を「重畳画像」の縮小画像のような縮小画像に予め定める。また、動作設定部３１２は、縮小画像の詳細情報表示をさせる動作「詳細情報表示」を操作部１２によるインセット画像の指定と関連付けて設定する。
【００７１】
第３画像作成部５３は、「インセット２」が設定した情報を設定情報記憶部４４から読み出し、また動作設定部３１２が設定した情報を設定情報記憶部４４から読み出す。第３画像作成部５３は、「インセット２」が設定した情報に基づき、設定情報記憶部４４から４つの画像（断面位置表示画像、ＣＴ画像、ＰＥＴ画像及び重畳画像）を選択し、選択された４つの画像を予め定められた倍率（サイズ２）で縮小させた４つの縮小画像を含むインセット画像を作成する。また、重畳画像の縮小画像が操作部１２により指定されたとき、第３画像作成部５３は、動作設定部３１２が設定した情報に基づき、条件データ記憶部４３から重畳条件データを読み出し、詳細情報の表示データを作成する。
【００７２】
４つの縮小画像であるインセット画像と重畳画像とをモニタ１１に同時表示させた画像を図１４（ａ）に示す。また、インセット画像と重畳画像と重畳画像の詳細情報とをモニタ１１に同時表示させた画像を図１４（ｂ）に示す。
【００７３】
操作部１２によるインセット画像の指定を受けて、表示制御部２０は、第３画像作成部５３により作成された重畳画像の詳細情報を、インセット画像及び重畳画像と同時にモニタ１１に表示させる。
【００７４】
（動作）
次に、ユーザーインターフェース１０の動作について図１５を参照にして説明する。図１５は、操作部１２によるインセット画像の指定で新たな表示を行うときの動作を示すフロー図である。
【００７５】
例えば、モニタ１１に表示させた図１３（ａ）に示すインセット画像を構成するＣＴ画像の縮小画像をマウスクリックする。このマウスクリックがインセット画像を構成する縮小画像の拡大表示の指示となる。このように、操作部１２による指示をユーザーインターフェース１０が受けたとき（ステップＳ２０１；Ｙ）、ユーザーインターフェース１０は、動作設定部３１２により設定された動作の有無を判断する（ステップＳ２０２）。
【００７６】
ユーザーインターフェース１０が、動作設定部３１２により設定された動作があると判断したとき（ステップＳ２０２；Ｙ）、表示制御部２０が、インセット画像を構成する縮小画像をモニタ１１に拡大表示させる（ステップＳ２０３）。
【００７７】
以上のように、操作部１２による指定を受けて、ＣＴ画像の縮小画像を拡大表示させたが、これに限らず、以下のようにしても良い。例えば、モニタ１１に表示させた図１４（ａ）に示すインセット画像を構成する重畳画像の縮小画像の表示領域をマウスクリックすると、このマウスクリックがインセット画像を構成する縮小画像の詳細情報表示の指示となる。このように、操作部１２によるインセット画像の指定をユーザーインターフェース１０受けたとき（ステップＳ２０１；Ｙ）、ユーザーインターフェース１０が、動作設定部３１２により設定された動作の有無を判断する（ステップＳ２０２）。
【００７８】
ユーザーインターフェース１０が、動作設定部３１２により設定された動作があると判断したとき（ステップＳ２０２；Ｙ）、表示制御部２０が、重畳画像の縮小画像の詳細情報であるブレンド率をモニタ１１に表示させる（ステップＳ２０３）。
【００７９】
上記する第３実施形態では、操作部１２によるインセット画像の指定を、インセット画像を構成する縮小画像の指定として説明したが、これに限らない。例えば、操作部１２によるインセット画像の指定を、インセット画像の全体的な指定、あるいは、拡大ボタン（図示省略）の指定であっても良い。
【００８０】
上記する第３実施形態に係る医用画像表示装置によれば、重畳画像を構成する縮小画像の拡大画像又は重畳条件（縮小画像の詳細情報）を新たに、重畳画像と同時に表示させたので、重畳画像を容易に理解可能となる。また、操作部１２による縮小画像の指示を受けて、拡大画像又は重畳条件（縮小画像の詳細情報）を新たに表示させるので、操作性が高まる。
【００８１】
［第４の実施の形態］
次に説明するこの発明の第４の実施形態では、動作設定部３１２が拡大表示の動作又は詳細情報表示の動作と、インセット画像を構成する縮小画像の各表示領域とを関連付けるようにした。
【００８２】
この発明の第４の実施形態に係る医用画像表示装置の構成について、図１及び図１６から図２０を参照して説明する。図１６はインセット画像設定画面３１ａの説明図、図１７は領域毎の動作設定画面３１２ａの説明図、図１８は付帯情報、重畳画像のデータ、設定情報を保存するときのフォーマットの例を示す説明図、図１９（ａ）は重畳画像とインセット画像とを同時表示したときの図、（ｂ）は、重畳画像とインセット画像と拡大画像とを同時表示したときの図、図２０（ａ）は重畳画像とインセット画像とを同時表示したときの図、（ｂ）は、重畳画像とインセット画像と拡大画像とを同時表示したときの図である。
【００８３】
なお、第１実施形態から第３実施形態と同様な構成についてはその説明を省略し、第１実施形態から第３実施形態と異なる構成についてのみ説明をする。
【００８４】
動作設定部３１２は、動作設定画面３１２ａ上で、操作部１２による縮小画像の表示領域の指定に関連付けて、その縮小画像の拡大画像を表示させる動作又は重畳条件を表示させる動作を設定する。ユーザーインターフェース１０は、動作設定部３１２による設定情報を設定情報記憶部４４に記憶させる。動作設定画面３１２ａを含むインセット画像設定画面３１ａを図１６に示す。
【００８５】
インセット画像設定画面３１ａは、インセット画像を設定するための第１の画面である「インセット１」〜第３の画面である「インセット３」を有する。以下、「インセット２」を代表して説明する。
【００８６】
「インセット２」は、操作部１２の指定を受けて、インセット種として「処理画面全体」、インセットの位置として「右下」、サイズとして「２」をそれぞれ設定し、これらの設定情報を設定情報記憶部４４に記憶させる。「インセット２」に設けられた動作設定部３１２は、インセットクリック時のアクションとして「領域毎に設定」を設定する。操作部１２により「領域毎に設定」を指定すると、縮小画像の表示領域毎に動作を設定する動作設定部３１２がモニタ１１に表示される。縮小画像の表示領域毎に動作を設定するときの動作設定画面３１２ａを図１７に示す。
【００８７】
図１７に示す動作設定画面３１２ａにおいては、インセット画像を構成する縮小画像の表示領域に対応させて各設定が設けられている。図１７の領域毎の動作設定画面３１２ｂで左上に示す「領域１クリック時」は、操作部１２によるＣＴ画像の縮小画像の表示領域の指定に相当しており、動作設定部３１２は「拡大表示」を設定する。また、図１７の領域毎の動作設定画面３１２ｂで右上に示す「領域２クリック時」は、操作部１２によるＰＥＴ画像の縮小画像の表示領域の指定に相当しており、動作設定部３１２は「拡大表示」を設定する。さらに、図１７の領域毎の動作設定画面３１２ｂで左下に示す「領域３クリック時」は、操作部１２による重畳画像の縮小画像の表示領域の指定に相当しており、動作設定部３１２は「詳細情報表示」を設定する。さらに、図１７の領域毎の動作設定画面３１２ｂで右下に示す「領域４クリック時」は、操作部１２による断面位置表示画像の縮小画像の表示領域の指定に相当しており、動作設定部３１２は「拡大表示」を設定する。
【００８８】
「インセット２」は、この設定情報「領域毎に設定」を設定情報記憶部４４に記憶させる。以上の設定情報を設定情報記憶部４４に記憶させたときのフォーマットを図１８に示す。
【００８９】
第３画像作成部５３は、「インセット２」が設定した情報を設定情報記憶部４４から読み出し、また動作設定部３１２が設定した情報を設定情報記憶部４４から読み出す。第３画像作成部５３は、「インセット２」が設定した情報に基づき、設定情報記憶部４４から４つの画像（断面位置表示画像、ＣＴ画像、ＰＥＴ画像及び重畳画像）を選択し、選択された４つの画像を予め定められた倍率（サイズ２）で縮小させた４つの縮小画像を含むインセット画像を作成する。
【００９０】
また、第３画像作成部５３は、ＣＴ画像の縮小画像が操作部１２により指定されたとき、動作設定部３１２が設定した情報に基づき、ＣＴ画像の縮小画像を予め定められた倍率で拡大させたＣＴ画像の拡大画像を作成する。
【００９１】
さらに、第３画像作成部５３は、ＰＥＴ画像の縮小画像が操作部１２により指定されたとき、動作設定部３１２が設定した情報に基づき、ＰＥＴ画像の縮小画像を予め定められた倍率で拡大させたＣＴ画像の拡大画像を作成する。
【００９２】
さらに、第３画像作成部５３は、重畳画像の縮小画像が操作部１２により指定されたとき、動作設定部３１２が設定した情報に基づき、重畳画像の縮小画像の詳細情報の表示データを作成する。
【００９３】
さらに、第３画像作成部５３は、断面位置表示画像の縮小画像が操作部１２により指定されたとき、動作設定部３１２が設定した情報に基づき、断面位置表示画像の縮小画像を予め定められた倍率で拡大させたＣＴ画像の拡大画像を作成する。
【００９４】
４つの縮小画像であるインセット画像と重畳画像とをモニタ１１に同時表示させた画像を図１９（ａ）に示す。また、インセット画像と重畳画像とＣＴ画像の拡大画像とをモニタ１１に同時表示させた画像を図１９（ｂ）に示す。
【００９５】
ユーザーインターフェース１０は、インセット画像を構成する４つの縮小画像の中でＣＴ画像の縮小画像が操作部１２により指定されたとき、表示制御部２０は、第３画像作成部５３により作成されたＣＴ画像の拡大画像を、インセット画像及び重畳画像と同時にモニタ１１に表示させる。
【００９６】
以上のようなＣＴ画像の拡大表示に限らない。例えば、４つの縮小画像であるインセット画像と重畳画像とをモニタ１１に同時表示させた画像を図２０（ａ）に示す。また、インセット画像と重畳画像とＰＥＴ画像の拡大画像とをモニタ１１に同時表示させた画像を図２０（ｂ）に示す
【００９７】
この場合、ユーザーインターフェース１０は、インセット画像を構成する４つの縮小画像の中でＰＥＴ画像の縮小画像が操作部１２により指定されたとき、表示制御部２０は、第３画像作成部５３により作成されたＰＥＴ画像の拡大画像を、インセット画像及び重畳画像と同時にモニタ１１に表示させる。
【００９８】
以上の第４の実施形態では、縮小画像の表示領域を操作部１２により指定すると、その縮小画像の表示領域に関連付けて設定された、縮小画像の拡大画像を表示させる動作について説明した。
【００９９】
これに限らず、例えば重畳画像の縮小画像の表示領域を操作部１２により指定すると、その縮小画像の表示領域に関連付けて設定された、縮小画像の詳細情報を表示させる動作を行うようにしても良い。
【０１００】
上記した第４実施形態に係る医用画像表示装置によれば、縮小画像の表示領域に関連付けて縮小画像の拡大画像又は重畳条件を表示させたので、重畳画像の理解を容易にする動作を設定可能となる。また、操作部による縮小画像の表示領域の指定を受けたとき、縮小画像の拡大画像又は重畳条件を表示させたので、操作性を高めることが可能となる。
【０１０１】
前述した第２実施形態から第４実施形態に係る医用画像表示装置では、重畳画像とインセット画像とを同時に表示させ、さらに、インセット画像を構成する縮小画像又は縮小画像の表示領域を操作部１２で指定することにより、他の縮小画像、縮小画像の拡大画像、縮小画像の詳細情報が表示されるものを示した（第２実施形態では図９、第３実施形態では図１３及び図１４、第４実施形態では図１９及び図２０を参照）。それにより、重畳画像の理解をさらに容易にした。
【０１０２】
重畳画像は２種類の断面画像を重ね合わせた画像であり、各断面画像は、３次元画像データに対して同一の断面位置でそれぞれ切り出した画像である。３次元画像データに対する断面位置の設定又は変更は、図３に示す断面位置表示画像上の特定位置（直線画像）を操作部１２で指定し、上下移動させることにより断面位置を変更可能であるが、上記した図９、図１３、図１４、図１９及び図２０に示すインセット画像によってはできず、インセット画像を構成する断面位置表示画像の縮小画像によってもできず、利便性が高める上で支障となる。これは、インセット画像の表示データが単なるビットマップデータであるためである。
【０１０３】
このようなインセット画像を操作部１２で指定することにより、重畳画像と２種類の断面画像と断面位置表示画像とをモニタ１１に表示させる。そして、重畳画像及び２種類の断面画像を見ながら、断面位置表示画像上の特定位置（直線画像）を操作部１２により指定し、上下移動することにより、３次元画像データに対する断面位置の設定又は変更を可能にし、医用画像表示装置の利便性を高めることが考えられる。
【０１０４】
［第５の実施の形態］
（構成）
次に、この発明の第５の実施形態に係る医用画像表示装置の構成について、図１及び図２１から図２３を参照して説明する。図２１はインセット画像設定画面３１ａの説明図、図２２は付帯情報、重畳画像のデータ、設定情報を保存するときのフォーマットの例を示す説明図、図２３（ａ）は重畳画像とインセット画像とを同時表示したときの図、（ｂ）は、ＣＴ画像、ＰＥＴ画像、重畳画像及び断面位置表示画像を同時表示したときの図である。
【０１０５】
なお、第１実施形態から第４実施形態と同様な構成についてはその説明を省略し、第１実施形態から第４実施形態と異なる構成についてのみ説明をする。
【０１０６】
インセット画像設定部３１は、複数種類のインセット画像の設定情報を設定し、設定情報を設定情報記憶部４４に記憶させる。複数種類のインセット画像の設定情報を設定可能であって、動作設定画面３１２ａを含むインセット画像設定画面３１ａを図２１に示す。
【０１０７】
インセット画像設定画面３１ａは、インセット画像を設定するための第１の画面である「インセット１」〜第３の画面である「インセット３」を有する。以下、「インセット２」を代表して説明する。
【０１０８】
「インセット２」は、操作部１２の指定を受けて、インセット種として「処理画面全体」、インセットの位置として「右下」、サイズとして「２」をそれぞれ設定し、これらの設定情報を設定情報記憶部４４に記憶させる。動作設定部３１２は、インセットクリック時のアクションとして「再画像処理」を設定する。各設定情報を設定情報記憶部４４に記憶させたときのフォーマットを図２２に示す。ここで、「再画像処理」とは、図３に示す重畳画像と断面画像とを表示制御部２０がモニタ１１に同時に表示させ、表示制御部２０がモニタ１１に断面位置表示画像を、その断面位置表示画像における特定位置（直線画像）を指定可能に表示させ、特定位置が指定されたとき断面位置設定部３２がその特定位置を断面位置として設定可能となる処理に相当する。
【０１０９】
図３に示す保存ボタン３３を操作部１２により指定すると、ユーザーインターフェース１０は、重畳画像及び２種類の断面画像（ＣＴ画像及びＰＥＴ画像）の画像データを識別データで対応付けて画像データ記憶部４１にそれぞれ記憶させる。また、ユーザーインターフェース１０は、断面位置表示画像のデータを識別データで対応付けて記憶部４０に記憶させる。それにより、ユーザーインターフェース１０は、識別データに基づき、インセット画像を作成するときの各種画像のデータを画像データ記憶部４１及び記憶部４０から読み出し可能となる。
【０１１０】
画像データ記憶部４１は、上記各種の画像データを単方向あるいは双方向のリスト構造、又はツリー構造で記憶する。画像データ記憶部４１に記憶されたインセット画像のデータは、次のデータである例えば重畳画像のデータのアドレスにアクセスするための識別データ（ポインタ）を有し、重畳画像のデータは、次のデータである例えば断面画像のデータのアドレスにアクセスするための識別データ（ポインタ）を有し、断面画像のデータは、次のデータである例えば断面位置表示画像のデータのアドレスにアクセスするための識別データ（ポインタ）を有している。
【０１１１】
表示制御部２０は、操作部１２によるインセット画像の指定を受けたとき、各識別データ（ポインタ）に基づき、重畳画像及び２種類の断面画像の画像データを画像データ記憶部４１から読み出し、重畳画像と２種類の断面画像とをモニタ１１に同時に表示させる。また、断面位置表示画像のデータを記憶部４０から読み出し、断面位置表示画像をモニタ１１に表示させる。
【０１１２】
（動作）
モニタ１１に同時表示された重畳画像とインセット画像とを図２３（ａ）に示す。「インセット２」によって設定された設定情報によって、インセット画像を操作部１２で指定すると、表示制御部２０が「再画像処理」を行い、重畳画像と断面画像と断面位置表示画像とをモニタ１１に表示させる。モニタ１１に同時表示された重畳画像と２つの断面画像（ＣＴ画像及びＰＥＴ画像）と断面位置表示画像とを図２３（ｂ）に示す。操作者は、重畳画像及び２種類の断面画像を見ながら、断面位置表示画像上の特定位置（直線画像）を操作部１２により指定し、上下移動することにより、３次元画像データに対する断面位置を設定又は変更可能となる。
【０１１３】
モニタ１１に表示された保存ボタン３３及びブレンド率変更ボタン３４を図２３（ｂ）に示す。それにより、ブレンド率変更ボタン３４により、変更されたブレンド率により２種類の断面画像を重ね合わせることが可能となる。また、３次元画像データに対して新たな断面位置で切り出した２種類の断面画像及び重畳画像を画像データ記憶部４１に記憶させる。また、断面位置表示画像のデータを記憶部４０に記憶させる。
【０１１４】
上記した第５実施形態に係る医用画像表示装置によると、操作部１２によるインセット画像の指定を受けたとき、重畳画像と断面画像と断面位置表示画像とを同時にモニタ１１に表示させたので、重畳画像を容易にかつ迅速に設定又は変更可能となる。
【図面の簡単な説明】
【０１１５】
【図１】この発明に係る医用画像表示装置の構成を示すブロック図である。
【図２】この発明の第１実施形態に係るインセット画像設定画面の説明図である。
【図３】断面位置表示画像等、ブレンド率変更ボタン及び保存ボタンの説明図である。
【図４】付帯情報や重畳画像のデータを保存するときのフォーマットの例を示す説明図である。
【図５】重畳画像とインセット画像とを同時にモニタに表示させたときの図である。
【図６】重畳画像と断面位置表示画像とを同時にモニタに表示させたときの図である。
【図７】この発明の第２実施形態に係るインセット画像設定画面の説明図である。
【図８】付帯情報や重畳画像のデータを保存するときのフォーマットの例を示す説明図である。
【図９】（ａ）は重畳画像とインセット画像とを同時表示したときの図、（ｂ）は、重畳画像と断面位置表示画像とを同時表示したときの図である。
【図１０】予め定められた順番で画像を切り替えるときの動作を示すフロー図である。
【図１１】この発明の第３実施形態に係るインセット画像設定画面の説明図である。
【図１２】付帯情報や重畳画像のデータを保存するときのフォーマットの例を示す説明図である。
【図１３】（ａ）は重畳画像とインセット画像とを同時表示したときの図、（ｂ）は、重畳画像とインセット画像と拡大画像とを同時表示したときの図である。
【図１４】（ａ）は重畳画像とインセット画像とを同時表示したときの図、（ｂ）は、重畳画像とインセット画像と重畳条件とを同時表示したときの図である。
【図１５】操作部による指定で新たな表示を行うときの動作を示すフロー図である。
【図１６】この発明の第４実施形態に係るインセット画像設定画面の説明図である。
【図１７】領域毎の動作設定画面の説明図である。
【図１８】付帯情報や重畳画像のデータを保存するときのフォーマットの例を示す説明図である。
【図１９】（ａ）は重畳画像とインセット画像とを同時表示したときの図、（ｂ）は、重畳画像とインセット画像と拡大画像とを同時表示したときの図である。
【図２０】（ａ）は重畳画像とインセット画像とを同時表示したときの図、（ｂ）は、重畳画像とインセット画像と拡大画像とを同時表示したときの図である。
【図２１】この発明の第５実施形態に係るインセット画像設定画面の説明図である。
【図２２】付帯情報や重畳画像のデータを保存するときのフォーマットの例を示す説明図である。
【図２３】（ａ）は重畳画像とインセット画像とを同時表示したときの図、（ｂ）は、重畳画像と断面画像と断面位置表示画像とを同時表示したときの図である。
【符号の説明】
【０１１６】
１０  ユーザーインターフェース    １１  モニタ    １２  操作部    
２０  表示制御部    ３１  インセット画像設定部    ３１ａ  インセット画像設定画面
３１１  タイマー設定部    ３１１ａ  タイマー設定画面    ３１２  動作設定部
３１２ａ  動作設定画面    ３１２ｂ  領域毎の動作設定画面    ３２  断面位置設定部
３３  保存ボタン    ３４  ブレンド率変更ボタン    ３５  表示制御部    
４０  記憶部    ４１  画像データ記憶部    ４２  位置データ記憶部    
４３  条件データ記憶部    ４４  設定情報記憶部    ５０  画像作成部    
５１  第１画像作成部    ５２  第２画像作成部    ５３  第３画像作成部    
【図１】
2010035940.tif 000003
【図２】
2010035940.tif 000004
【図３】
2010035940.tif 000005
【図４】
2010035940.tif 000006
【図５】
2010035940.tif 000007
【図６】
2010035940.tif 000008
【図７】
2010035940.tif 000009
【図８】
2010035940.tif 000010
【図９】
2010035940.tif 000011
【図１０】
2010035940.tif 000012
【図１１】
2010035940.tif 000013
【図１２】
2010035940.tif 000014
【図１３】
2010035940.tif 000015
【図１４】
2010035940.tif 000016
【図１５】
2010035940.tif 000017
【図１６】
2010035940.tif 000018
【図１７】
2010035940.tif 000019
【図１８】
2010035940.tif 000020
【図１９】
2010035940.tif 000021
【図２０】
2010035940.tif 000022
【図２１】
2010035940.tif 000023
【図２２】
2010035940.tif 000024
【図２３】
2010035940.tif 000025